(57)【要約】【課題】背もたれ部の背面に緩やかな傾斜をもたせ、折り畳むことにより枕状態に変形可能になり、接着体を有する器具や袋をどの位置でも取り付け可能な座椅子を提供する。【解決手段】緩やかな傾斜を持つ背もたれ部（１）と、座椅子状態の時には腰掛部となる座部（２）を一端で接合し、接着体（５）を有する器具（３）もしくは接着体（５）を有する袋（４）を背もたれ部（１）または座部（２）に取り付ける。【選択図】図１
2013162998.tif 000002
【特許請求の範囲】
【請求項１】
緩やかな傾斜を持つ背もたれ部（１）、と座部（２）、及び接着体（５）を設けた器具（３）もしくは接着体（５）を設けた袋（４）からなり、収納可能な二つ折りに折り畳み可能で、折り畳み時に枕となり、器具（３）及び袋（４）を自由な位置に装着できる座椅子。
【発明の詳細な説明】
【技術分野】
【０００１】本発明は、緩やかな傾斜を持つ背もたれ部（１）と座部（２）、接着体（５）を設けた器具（３）もしくは接着体（５）を設けた袋（４）、からなり、かつ折り可能でさらに畳み時には枕となる機能追加可能な折り畳み座椅子に関するものである。
【背景技術】
【０００２】従来、座椅子には折り畳む機能、もしくは百八十度に展開可能にして、収納に便利なような形状に変形可能なものは存在していた。【０００３】もしくは背もたれ部分と座部が、ある一点で接合し、背もたれ部と座部の角度を変えることができ、座椅子として使用時に、寄りかかるときの体勢を変更できるものは存在していた。
【発明の概要】
【発明が解決しようとする課題】
【０００４】しかし従来の方法には次のような欠点があった。【０００５】従来の方法では、座椅子としての機能に注視しているため、折り畳んだ状態が単に収納目的でしか考慮されてない。椅子そして座るという機能以外にも、身体が密着するという状態を考慮すれば身の回りや身体に何らかの影響を与える機能を付加することができるはずであるが、機能として座椅子としての、背もたれとして姿勢を支持する機能に特化したものがほとんどである。【０００６】電動のマッサージ機能を付加したものは存在することは存在するが、仕掛けが大掛かりであり、折り畳み式座椅子の携行性や収納可能性を阻害している。また、この場合もマッサージという特定の機能だけに特化しており、その機能を取り替えるということが不可能である。【０００７】温熱体を敷くというような発明があることはあるが、これもまた特定の機能にだけに特化しており、他の目的に交換するような事を考慮していない。【０００８】さらには座椅子の姿勢保持目的以外の機能を付加しているもがいくつか存在しているにしても、座椅子状態での使用を前提としており、折り畳んだ状態でも機能を付加する可能性はまったく考慮されていない。【０００９】また、仮に使用する側が折り畳んだ状態をそのまま体躯の下に敷くという発想にいたっても、そもそも折り畳んだ状態が収納目的で制作されているため、折りたたんだ状態は単に厚みのある板状の部品を積み上げた構造となり、体の下に敷くことを当初から考慮した構造になっていないため、そのままの状態では体に敷いて使用した際には却って身体に悪影響を及ぼしてしまう。【００１０】本発明は以上のような欠点をなくすためになされたものである。
【課題を解決するための手段】
【００１１】本発明は、上記課題を解決するため、以下の手段を採用する。
（イ）緩やかな傾斜を持つ背もたれ部（１）
（ロ）座椅子状態の時には腰掛部となる座部（２）
（ハ）接着体（５）を取り付けた器具（３）もしくは接着体（５）を設けた袋（４）
（ニ）座椅子状態に展開した状態にも、二つ折にした状態にも変形できるように、背もたれ部（１）と座部（２）は一端で接続されている。器具（３）もしくは袋（４）は接着体（５）を介して背もたれ部（１）もしくは座部（２）に取り付けが可能になっている。【００１２】本発明は以上の構成よりなる機能追加が可能で枕に変形可能な座椅子である。【００１３】
【発明の効果】
【００１４】本発明によれば従来の発明にない、以下の効果を得ることができる。【００１５】従来の座椅子のように座椅子状態で座るという機能以外にも、身体が密着するという状態に着目して、身体が密着する箇所に磁気健康器具や温熱体や芳香体といった器具を装着する事が可能になるので、健康器具としての機能を付加することができる。【００１６】また、袋（４）に接着体（５）を取り付けて、その袋（４）に器具（３）をいれて、その袋（４）を座椅子に取り付けるという方法をとることによって、器具（３）自体は自由に取り出すことが可能になるので、器具（３）を使用しないときには取り外して座椅子もしくは枕の機能に特化した使用が可能になり、器具（３）自体を清掃し、修繕することもできるので、衛生面や修理性が向上する。【００１７】また袋（４）に緊急事態のための絆創膏や薬品のような簡易医療具や、ライトといったものを入れることも可能なので、即座に震災や火事などの災害に対応することができる。【００１８】さらには手元に袋（４）があるので、身体の不自由な人やお年寄りにとっては、起き上がって用事を済ます手間を省くことができ、今後の老齢化社会を見据えた社会性を向上させる発明となる。【００１９】また、折り畳んだ状態は人体の頭から肩に至る大きさになるので、その大きさを利用すれば折り畳んだ状態を枕として利用する事ができ、座椅子に枕としての機能を付加することができる。枕の状態は頭部に密着させることができるようになるので、器具（３）の取り付け位置を頭や肩に近いところに配置することにより、座椅子状態の時とは異なった部位に器具（３）や袋（４）の効果を及ぼすことができる。
【図面の簡単な説明】
【００２０】
【図１】本発明の一実施形態に係る斜視図である。
【図２】本発明の一実施形態に係る斜視図である。
【図３】本発明の一実施形態に係る断面図である。
【図４】本発明の器具と接着体の状態を示す断面図である。
【図５】本発明の袋と接着体の状態を示す断面図である。
【図６】本発明の器具を接着体に内含した状態を示す断面図である。
【図７】本発明の一実施形態に係る全体図である。
【発明を実施するための形態】
【００２１】以下、本発明を実施するための最良の形態について説明する。
【００２２】本発明は背もたれ部（１）と座部（２）と、それに取り付ける器具（３）もしくは袋（４）で構成される。特に背もたれ部（１）については座椅子状態の時に背中に密着する部分を底面とし、その反対面を上面とし、また頭頂部に近い部分を上端として以後説明をする。
【００２３】図１は座椅子としての形状を示すものであり、図２は折り畳んで、枕としての形状となった状態を示し、図３は折り畳んだ状態を示す断面図である。図１においては背中のあたる部分に器具（３）と袋（４）が取り付けられている状態を示している。また図２においては枕として使用した時に頭や肩に密着する部分に器具（３）と袋（４）が取り付けられている状態を示している。
【００２４】図１および図２では器具（３）と袋（４）はそれぞれ一つずつ取り付けられた状態を例示しているが、器具（３）か袋（４）のいずれかだけを取り付けて使用することも可能であり、複数個取り付けることも可能である。
【００２５】背もたれ部（１）は、上面は下端から上端にかけて下端が高くなるように緩やかな傾斜を持っている。図２のように二つ折に折りたたんだ状態では、頭部と肩部の下に折りしかれ、頭頂部から肩部にかけて下るような傾斜をもった枕となるため、背もたれ部（１）に傾斜を持たせることによって、枕としての使用感を向上させている。
【００２６】図３では背もたれ部（１）と座部（２）の内部の構造を、折り畳んだ状態を例にしてあらわしている。背もたれ部（１）と座部（１）はそれぞれ背もたれ部構成部材（６）と座部構成部材（７）の端点で接合軸（８）によってつながっており、接合軸（８）を稼動軸として稼動することにより、座椅子形態と枕形態に変形が可能となる。
【００２７】二つ折りに折りたたんだ状態と座椅子として機能する程度に展開した形状を取れるのであれば、その接合方法は問わない。
【００２８】図５は器具（３）に接着体（５）を直接取り付けた状態を示している。器具（３）の例としては磁気を取り付けた磁気健康器具や、携行カイロのような温熱体、冷却材もしくは芳香剤を内含した器具があげられる。
【００２９】図５は袋（４）の一面に接着体を取り付けた断面図を示している。この袋（４）自体を収納用具として使用してもよいし、図６のように器具（３）を収納した上で取り付ける形で使用することも可能である。
【００３０】器具（３）もしくは袋（４）に取り付けられた接着体（５）としては両面テープや接着剤や面ファスナーが考えられる。接着体（５）を器具（３）もしくは袋（４）に取り付ける方法としては癒着や接着、縫製等その方法は種々の手段が考えられるがその方法は問わない。
【００３１】接着体（５）として面ファスナーを使用した場合は、接着体（５）としては面ファスナーの雄部材を使用することにより、座椅子本体をトイクロスやパイル生地で覆うように構成すれば、面ファスナーの雄部材の鉤状毛がトイクロスやパイル生地に絡みつくため、自由自在にどの位置にでも着脱可能な器具（３）、袋（４）として使用することができる。
【００３２】その一方で接着体（５）として接着剤を使用し固着させる場合には、頑丈性という利点が生じる。この場合は達成すべき目的に応じて取り付ける位置や器具（３）もしくは袋（４）の大きさを考慮する必要があるが、その目的を達成する範囲であれば種々の変更を加えることをさまたげるものではない。
【００３３】器具（３）と袋（４）はどちらか一方を取り付けるだけでなく、取り付ける隙間が存在する限り、同時に何個でも取り付けてもよい。それによって多岐にわたる機能を同時に付加することが可能になる。
【００３４】さらに背もたれ部（１）と座部（２）との展開角度を図６のようにして使用することにより、頚部を背もたれ部（１）の上端に密着させて使用することができる。この状態で上端に健康器具としての機能を有する器具（３）を取り付ければ、人体のつぼが集まっている頚部に、体の重みによって頚部を強く押し付けた状態になるため、つぼ押しのマッサージと同様の効果を得ることができる。
【００３５】なお、本発明の技術範囲は上記実施の形態に限定されるものではなく、本発明の趣旨を逸脱しない範囲において種々の変更を加えることが可能である。
【符号の説明】
【００３６】１  背もたれ部
２  座部
３  器具
４  袋
５  接着体
６  背もたれ部構成部材
７  座部構成部材
８  接合軸
【図１】
2013162998.tif 000003
【図２】
2013162998.tif 000004
【図３】
2013162998.tif 000005
【図４】
2013162998.tif 000006
【図５】
2013162998.tif 000007
【図６】
2013162998.tif 000008
【図７】
2013162998.tif 000009